(57)【要約】【課題】使用者により入力された保安コードと予め設定された保安コードとを比較し、その比較結果によって発信者の認証状態情報を伝送することで、受信されるメッセージの発信者情報に対する信頼性を向上し得る移動通信システムのメッセージ認証装置及びその方法を提供する。【解決手段】受信されたメッセージの受信者情報、発信者電話番号、発信類型情報及び保安コードを検出し、前記検出された発信者電話番号及び保安コードに基づいて、発信者の認証状態情報を出力するサーバー４０と、前記検出された受信者情報に基づいて、前記メッセージの伝送経路を設定し、該設定された伝送経路を通して、前記メッセージ、前記検出された発信者電話番号及び発信類型情報、並びに、前記出力された認証状態情報を伝送するＭＳＣ(Mobile Switching Center)３０と、を含んで移動通信システムのメッセージ認証装置を構成する。【選択図】図１
2005218078.tif 000002
【特許請求の範囲】
【請求項１】
受信されたメッセージの受信者情報、発信者電話番号、発信類型情報及び保安コードを検出し、前記検出された発信者電話番号及び保安コードに基づいて、発信者の認証状態情報を出力するサーバーと、
前記検出された受信者情報に基づいて、前記メッセージの伝送経路を設定し、該設定された伝送経路を通して、前記メッセージ、前記検出された発信者電話番号及び発信類型情報、並びに、前記出力された認証状態情報を伝送するＭＳＣ(Mobile Switching Center)と、
を含むことを特徴とする移動通信システムのメッセージ認証装置。
【請求項２】
前記メッセージは、短文メッセージ、長文メッセージ及びマルチメディアメッセージの何れか一つであることを特徴とする請求項１に記載の移動通信システムのメッセージ認証装置。
【請求項３】
前記保安コードは、前記移動通信システムに登録された発信者電話番号に対応するように予め設定されたコードであることを特徴とする請求項１に記載の移動通信システムのメッセージ認証装置。
【請求項４】
前記認証状態情報は、発信者が正当な保安コードを有していることを示す情報、発信者が正当でない保安コードを有していることを示す情報、及び発信者から保安コードが受信されていないことを示す情報の何れか一つであることを特徴とする請求項１に記載の移動通信システムのメッセージ認証装置。
【請求項５】
前記発信類型情報は、前記メッセージを送信し得るＭＳ(Mobile Station)、コンピュータ及び有線電話機の何れか一つであることを特徴とする請求項１に記載の移動通信システムのメッセージ認証装置。
【請求項６】
前記サーバーは、前記発信者電話番号及び該発信者電話番号に対応する保安コードが保存されたデータベースを含むことを特徴とする請求項１に記載の移動通信システムのメッセージ認証装置。
【請求項７】
前記サーバーは、前記伝送されたメッセージを受信した受信者の要請により、該受信されたメッセージの保安コードを、予め設定された時間毎に発信者に要請することを特徴とする請求項１に記載の移動通信システムのメッセージ認証装置。
【請求項８】
前記サーバーは、前記受信されたメッセージの保安コードを、予め決定された回数だけ発信者に要請することを特徴とする請求項７に記載の移動通信システムのメッセージ認証装置。
【請求項９】
前記予め決定された回数は、３回以上であることを特徴とする請求項８に記載の移動通信システムのメッセージ認証装置。
【請求項１０】
受信されたメッセージの受信者情報、発信者電話番号、発信類型情報及び保安コードを検出し、前記検出された発信者電話番号及び保安コードに基づいて、発信者の認証状態情報を出力する段階と、
前記検出された受信者情報に基づいて、前記メッセージの伝送経路を設定する段階と、
前記設定された伝送経路を通して、前記受信されたメッセージ、前記検出された発信者電話番号及び発信類型情報、並びに、前記出力された発信者の認証状態情報を伝送する段階と、
を行うことを特徴とする移動通信システムのメッセージ認証方法。
【請求項１１】
前記メッセージは、短文メッセージ、長文メッセージ及びマルチメディアメッセージの何れか一つであることを特徴とする請求項１０に記載の移動通信システムのメッセージ認証方法。
【請求項１２】
前記保安コードは、前記移動通信システムに登録された発信者電話番号に対応するように予め設定されたコードであることを特徴とする請求項１０に記載の移動通信システムのメッセージ認証方法。
【請求項１３】
前記認証状態情報は、発信者が正当な保安コードを有していることを示す情報、発信者が正当でない保安コードを有していることを示す情報、及び発信者から保安コードが受信されていないことを示す情報の何れか一つであることを特徴とする請求項１０に記載の移動通信システムのメッセージ認証方法。
【請求項１４】
前記発信類型情報は、前記メッセージを送信し得るＭＳ、コンピュータ及び有線電話機の何れか一つであることを特徴とする請求項１０に記載の移動通信システムのメッセージ認証方法。
【請求項１５】
受信側の認証状態情報要請に応じて、保安コードを発信者に要請して該保安コードを受信し、該受信された保安コード及び発信者電話番号に基づいて、発信者の認証状態情報を検出する段階と、
前記検出された認証状態情報を伝送する段階と、
を行うことを特徴とする移動通信システムのメッセージ認証方法。
【請求項１６】
前記発信者の認証状態情報を検出する段階は、
前記受信されたメッセージの保安コードを、予め設定された時間毎に発信者に要請することを特徴とする請求項１５に記載の移動通信システムのメッセージ認証方法。
【請求項１７】
前記発信者の認証状態情報を検出する段階は、
前記受信されたメッセージの保安コードを、予め決定された回数だけ発信者に要請することを特徴とする請求項１６に記載の移動通信システムのメッセージ認証方法。
【請求項１８】
前記予め決定された回数は、３回以上であることを特徴とする請求項１７に記載の移動通信システムのメッセージ認証方法。
【発明の詳細な説明】
【技術分野】
【０００１】
本発明は、移動通信システム(Mobile Communication System)に関するもので、詳しくは、移動通信システムのメッセージ認証装置及びその方法に関するものである。
【背景技術】
【０００２】
一般に、移動通信システムは、使用者がＢＳ(Base Station)により形成されるサービス領域内で移動しながら、ＭＳＣ(Mobile Switching Center)のスイッチング制御を通して、何時何処でも直ちに相手方を無線呼出及び無線接続して通信し得るシステムであって、前記移動通信システムは、移動通信関連技術の発達により、音声信号を利用する通信だけでなく、データ通信及びマルチメディア通信も可能になった。
【０００３】
このような移動通信に用いられるＭＳ(Mobile Station)は、実際的に、使用者により通信に用いられる時間は少なく、待機状態で携帯される時間が大部分であるため、前記ＭＳの使用時間及び運用率は低い。よって、このようなＭＳの低い運用率を高めるために、移動通信サービス事業者は、付加サービスを開発して提供しており、該付加サービスとしては、オンラインゲーム、無線インターネット接続、文字メッセージ伝送、及び画像メッセージ伝送のようなサービスがある。且つ、前記ＭＳ製造会社で開発して提供する付加サービスとしては、電話番号簿管理、メモ作成、メッセージ作成、スケジュール管理、ゲーム、カメラ機能、電子計算器及びアラームのように多様な機能がある。
【０００４】
前記ＭＳで提供する付加サービス中、最も多く用いられている文字メッセージ伝送機能は、前記ＭＳで提供される記号、数字、文字及び図形などを利用して、相手方に所望の内容のメッセージを簡単且つ正確に伝達する機能をいう。且つ、前記文字メッセージ伝送機能は、チャネルを占有する時間が非常に短いため、通信費用が安価で、非実時間伝送方式を用いるため、相手方のフックオフ(Hook Off)に関係なしに所望の内容を正確に伝達し得るという利点がある。
【０００５】
このような文字メッセージ伝送機能を行うための従来の移動通信システムのメッセージ認証方法を図４に基づいて説明する。
【０００６】
図４は、従来の移動通信システムのメッセージ認証方法を示したフローチャートで、図４に示したように、従来の移動通信システムのメッセージ認証方法においては、文字メッセージが入力されたか否かを確認する段階(ステップＳ１１)と、前記文字メッセージが入力されたとき、該入力された文字メッセージの発信者電話番号及び受信者情報を検出する段階(ステップＳ１２)と、前記検出された受信者情報に基づいて、前記文字メッセージの伝送経路を設定する段階(ステップＳ１３)と、前記設定された伝送経路を通して、前記文字メッセージ及び前記検出された発信者電話番号を伝送する段階(ステップＳ１４)と、前記伝送された文字メッセージ及び発信者電話番号をディスプレイする段階(ステップＳ１５)と、を行う。
【０００７】
以下、このような従来の移動通信システムのメッセージ認証方法をより詳しく説明する。
【０００８】
まず、使用者は、前記ＭＳの文字メッセージ伝送機能を通して、所望の内容の文字メッセージを作成し、発信者情報(例えば、発信者電話番号)を入力して、該発信者情報を有する文字メッセージを、使用者が属するサービス領域に該当するＢＳに伝送する。このとき、前記ＢＳは、前記ＭＳに無線接続して、通信信号を送信／受信し得るそれぞれの固有のサービス領域を形成するが、複数のＢＳが一定の間隔で配置されることで、より広いサービス領域が形成される。
【０００９】
次いで、前記ＢＳは、前記受信された文字メッセージを前記ＭＳＣに伝送する。このとき、サーバーは、前記ＭＳＣに文字メッセージが入力されたか否かを確認して(ステップＳ１１)、前記文字メッセージが入力されたとき、該文字メッセージの発信者情報及び受信者情報を検出する(ステップＳ１２)。その後、前記サーバーは、前記検出された情報を前記ＭＳＣに伝送し、該ＭＳＣは、前記検出された受信者情報に基づいて、前記文字メッセージの伝送経路を設定する(ステップＳ１３)。
【００１０】
その後、前記ＭＳＣは、前記設定された伝送経路を通して、前記受信された文字メッセージ及び前記検出された発信者情報を、相手方のＭＳが属するＢＳに伝送し(ステップＳ１４)、受信側のＭＳは、前記伝送された文字メッセージ及び該文字メッセージの発信者情報を、ディスプレイ装置を通してディスプレイする(ステップＳ１５)。このとき、前記受信側のＭＳが、前記伝送された文字メッセージ及び該文字メッセージの発信者情報をディスプレイする過程を、図５に基づいて説明する。
【００１１】
図５は、従来の受信側ＭＳのメッセージ認証方法を示したフローチャートで、図５に示したように、従来の受信側ＭＳのメッセージ認証方法においては、文字メッセージが受信されたか否かを確認する段階(ステップＳ２１)と、前記文字メッセージが受信されたとき、該文字メッセージを検出する段階(ステップＳ２２)と、前記検出された文字メッセージの発信者電話番号を検出する段階(ステップＳ２３)と、前記検出された文字メッセージ及び発信者電話番号をディスプレイする段階(ステップＳ２４)と、を行う。
【００１２】
以下、このような従来の受信側ＭＳのメッセージ認証方法をより詳しく説明する。
【００１３】
まず、伝送経路上の受信側のＢＳは、前記文字メッセージ及び該文字メッセージの発信者電話番号を前記受信側のＭＳに伝送し、該受信側のＭＳは、周期的に該当サービス領域のＢＳから伝送されたメッセージが入力されたか否かを確認する(ステップＳ２１)。
【００１４】
その後、前記受信側のＭＳは、前記メッセージが入力されたとき、該メッセージを検出し(ステップＳ２２)、該メッセージの発信者電話番号を検出して(ステップＳ２３)、それら検出されたメッセージ及び発信者電話番号を、ディスプレイ装置を通してディスプレイすることで、前記受信側のＭＳは、文字メッセージ及び該文字メッセージの発信者電話番号を確認する(ステップＳ２４)。
【００１５】
以上説明したように、一般の移動通信システムの文字メッセージ伝送方法は、各種通信関連技術の発達、大量生産、及び部品価格の下落などにより、誰でも比較的安価な通信費用で、非実時間に所望の内容を正確に伝達することができる。
【発明の開示】
【発明が解決しようとする課題】
【００１６】
しかしながら、このような従来の移動通信システムのメッセージ認証方法は、使用者により入力された発信者電話番号のみを発信者情報として設定して、該当文字メッセージと共に伝送するため、受信側においては、受信された文字メッセージの発信者情報に対する真実性を正確に確認し得ないという不都合な点があった。
【００１７】
本発明は、このような従来の課題に鑑みてなされたもので、使用者により入力された保安コードと予め設定された保安コードとを比較し、その比較結果によって発信者の認証状態情報を伝送することで、受信されるメッセージの発信者情報に対する信頼性を向上し得る移動通信システムのメッセージ認証装置及びその方法を提供することを目的とする。 
【課題を解決するための手段】
【００１８】
このような目的を達成するために、本発明に係る移動通信システムのメッセージ認証装置は、受信されたメッセージの受信者情報、発信者電話番号、発信類型情報及び保安コードを検出し、前記検出された発信者電話番号及び保安コードに基づいて、発信者の認証状態情報を出力するサーバーと、前記検出された受信者情報に基づいて、前記メッセージの伝送経路を設定し、該設定された伝送経路を通して、前記メッセージ、前記検出された発信者電話番号及び発信類型情報、並びに、前記出力された認証状態情報を伝送するＭＳＣ(Mobile Switching Center)と、を含むことを特徴とする。
【００１９】
そして、本発明に係る移動通信システムのメッセージ認証方法は、受信されたメッセージの受信者情報、発信者電話番号、発信類型情報及び保安コードを検出し、前記検出された発信者電話番号及び保安コードに基づいて、発信者の認証状態情報を出力する段階と、前記検出された受信者情報に基づいて、前記メッセージの伝送経路を設定する段階と、前記設定された伝送経路を通して、前記受信されたメッセージ、前記検出された発信者電話番号及び発信類型情報、並びに、前記出力された発信者の認証状態情報を伝送する段階と、を行うことを特徴とする。
【００２０】
また、本発明に係る移動通信システムのメッセージ認証方法は、受信側の認証状態情報要請に応じて、保安コードを発信者に要請して該保安コードを受信し、該受信された保安コード及び発信者電話番号に基づいて認証状態情報を検出する段階と、前記検出された認証状態情報を伝送する段階と、を行うことを特徴とする。
【００２１】
従って、本発明は、以下を提供する：
１．  受信されたメッセージの受信者情報、発信者電話番号、発信類型情報及び保安コードを検出し、前記検出された発信者電話番号及び保安コードに基づいて、発信者の認証状態情報を出力するサーバーと、
前記検出された受信者情報に基づいて、前記メッセージの伝送経路を設定し、該設定された伝送経路を通して、前記メッセージ、前記検出された発信者電話番号及び発信類型情報、並びに、前記出力された認証状態情報を伝送するＭＳＣ(Mobile Switching Center)と、
を含むことを特徴とする移動通信システムのメッセージ認証装置。
２．  前記メッセージは、短文メッセージ、長文メッセージ及びマルチメディアメッセージの何れか一つであることを特徴とする項目１に記載の移動通信システムのメッセージ認証装置。
３．  前記保安コードは、前記移動通信システムに登録された発信者電話番号に対応するように予め設定されたコードであることを特徴とする項目１に記載の移動通信システムのメッセージ認証装置。
４．  前記認証状態情報は、発信者が正当な保安コードを有していることを示す情報、発信者が正当でない保安コードを有していることを示す情報、及び発信者から保安コードが受信されていないことを示す情報の何れか一つであることを特徴とする項目１に記載の移動通信システムのメッセージ認証装置。
５．  前記発信類型情報は、前記メッセージを送信し得るＭＳ(Mobile Station)、コンピュータ及び有線電話機の何れか一つであることを特徴とする項目１に記載の移動通信システムのメッセージ認証装置。
６．  前記サーバーは、前記発信者電話番号及び該発信者電話番号に対応する保安コードが保存されたデータベースを含むことを特徴とする項目１に記載の移動通信システムのメッセージ認証装置。
７．  前記サーバーは、前記伝送されたメッセージを受信した受信者の要請により、該受信されたメッセージの保安コードを、予め設定された時間毎に発信者に要請することを特徴とする項目１に記載の移動通信システムのメッセージ認証装置。
８．  前記サーバーは、前記受信されたメッセージの保安コードを、予め決定された回数だけ発信者に要請することを特徴とする項目７に記載の移動通信システムのメッセージ認証装置。
９．  前記予め決定された回数は、３回以上であることを特徴とする項目８に記載の移動通信システムのメッセージ認証装置。
１０．  受信されたメッセージの受信者情報、発信者電話番号、発信類型情報及び保安コードを検出し、前記検出された発信者電話番号及び保安コードに基づいて、発信者の認証状態情報を出力する段階と、
前記検出された受信者情報に基づいて、前記メッセージの伝送経路を設定する段階と、
前記設定された伝送経路を通して、前記受信されたメッセージ、前記検出された発信者電話番号及び発信類型情報、並びに、前記出力された発信者の認証状態情報を伝送する段階と、
を行うことを特徴とする移動通信システムのメッセージ認証方法。
１１．  前記メッセージは、短文メッセージ、長文メッセージ及びマルチメディアメッセージの何れか一つであることを特徴とする項目１０に記載の移動通信システムのメッセージ認証方法。
１２．  前記保安コードは、前記移動通信システムに登録された発信者電話番号に対応するように予め設定されたコードであることを特徴とする項目１０に記載の移動通信システムのメッセージ認証方法。
１３．  前記認証状態情報は、発信者が正当な保安コードを有していることを示す情報、発信者が正当でない保安コードを有していることを示す情報、及び発信者から保安コードが受信されていないことを示す情報の何れか一つであることを特徴とする項目１０に記載の移動通信システムのメッセージ認証方法。
１４．  前記発信類型情報は、前記メッセージを送信し得るＭＳ、コンピュータ及び有線電話機の何れか一つであることを特徴とする項目１０に記載の移動通信システムのメッセージ認証方法。
１５．  受信側の認証状態情報要請に応じて、保安コードを発信者に要請して該保安コードを受信し、該受信された保安コード及び発信者電話番号に基づいて、発信者の認証状態情報を検出する段階と、
前記検出された認証状態情報を伝送する段階と、
を行うことを特徴とする移動通信システムのメッセージ認証方法。
１６．  前記発信者の認証状態情報を検出する段階は、
前記受信されたメッセージの保安コードを、予め設定された時間毎に発信者に要請することを特徴とする項目１５に記載の移動通信システムのメッセージ認証方法。
１７．  前記発信者の認証状態情報を検出する段階は、
前記受信されたメッセージの保安コードを、予め決定された回数だけ発信者に要請することを特徴とする項目１６に記載の移動通信システムのメッセージ認証方法。
１８．  前記予め決定された回数は、３回以上であることを特徴とする項目１７に記載の移動通信システムのメッセージ認証方法。
【発明の効果】
【００２２】
本発明に係る移動通信システムのメッセージ認証装置及びその方法においては、使用者により入力された保安コードと予め設定された保安コードとを比較し、その比較結果によって発信者の認証状態情報を伝送することで、受信されるメッセージの発信者情報に対する信頼性を向上し得るという効果がある。
【発明を実施するための最良の形態】
【００２３】
以下、使用者により入力された保安コードと予め設定された保安コードとを比較し、その比較結果によって発信者の認証状態情報を伝送することで、受信されるメッセージの発信者情報に対する信頼性を向上し得る移動通信システムのメッセージ認証装置及びその方法の好ましい実施形態を、添付の図面に基づいて説明する。且つ、本発明に係る移動通信システムのメッセージ認証装置及びその方法の実施形態は、ＳＭＳ(Short Message Service)、ＬＭＳ(Long Message Service)、ＭＭＳ(Multimedia Message Service)を提供する移動通信システムに全て適用することができる。
【００２４】
図１は、本発明に係る移動通信システムのメッセージ認証装置を示した概略構成図で、図１に示したように、本発明に係る移動通信システムのメッセージ認証装置は、使用者により入力されたメッセージ及び該メッセージの保安コードを発信する送信側のＭＳ１０と、前記発信されたメッセージ及び保安コードを受信して伝送する送信側のＢＳ２０と、前記伝送されたメッセージの受信者情報、発信者電話番号、発信類型情報及び保安コードを検出し、前記検出された発信者電話番号及び保安コードに基づいて、発信者の認証状態情報を出力するサーバー４０と、前記検出された受信者情報によって、前記メッセージの伝送経路を設定し、該設定された伝送経路を通して、前記メッセージ、前記検出された発信者電話番号及び発信類型情報、並びに、前記出力された認証状態情報を伝送するＭＳＣ３０と、前記伝送されたメッセージ、発信者電話番号、発信類型情報及び認証状態情報を該当の受信側に出力する受信側のＢＳ５０と、前記出力されたメッセージ、発信者電話番号、発信類型情報及び認証状態情報をディスプレイ装置にディスプレイする受信側のＭＳ６０と、から構成される。ここで、前記サーバー４０は、前記移動通信システムに登録された使用者の電話番号、及び該電話番号に対応するように予め設定された保安コードを保存するデータベースを含む。
【００２５】
このように構成された本発明に係る移動通信システムの発信メッセージ認証方法を図２に基づいて説明する。
【００２６】
図２は、本発明に係る移動通信システムの発信メッセージ認証方法を示したフローチャートで、図２に示したように、本発明に係る移動通信システムの発信メッセージ認証方法においては、メッセージが入力されたか否かを確認する段階(ステップＳ４１)と、前記入力されたメッセージの保安コードが入力されたか否かを判断する段階(ステップＳ４２)と、前記保安コードが入力されたとき、前記入力されたメッセージの受信者情報、発信者電話番号及び認証状態情報を検出する段階(ステップＳ４３)と、前記検出された受信者情報に基づいて、前記メッセージの伝送経路を設定する段階(ステップＳ４５)と、前記設定された伝送経路を通して、前記メッセージ、並びに、前記検出された発信者電話番号及び認証状態情報を受信側に伝送する段階(ステップＳ４６)と、前記伝送されたメッセージ、発信者電話番号及び認証状態情報をディスプレイする段階(ステップＳ４７)と、を行う。ここで、前記保安コードが入力されたか否かを判断する段階(ステップＳ４２)で、前記保安コードが入力されていないと判断されると、前記入力されたメッセージの受信者情報、発信者電話番号及び発信類型情報を検出する段階(ステップＳ４４)を行う。
【００２７】
以下、このような本発明に係る移動通信システムの発信メッセージ認証方法をより詳しく説明する。
【００２８】
まず、使用者は、前記メッセージを送信／受信する送信側のＭＳ１０を通して、メッセージを作成し、該メッセージの認証のための保安コードを入力し、前記送信側のＭＳ１０は、前記入力された保安コードを、前記作成されたメッセージと共に送信側のＢＳ２０に発信する。ここで、前記メッセージの無線送信／受信機能を支援するＭＳは、音声通信だけでなく、記号、数字及び文字などからなるデータ通信及び画像信号が含まれるマルチメディア通信が可能な装置である。
【００２９】
次いで、前記ＭＳＣ３０は、前記送信側のＢＳ２０から前記メッセージを受信し、該受信されたメッセージの発信者情報によって、該受信されたメッセージを受信側のＭＳ６０が属する受信側のＢＳ５０に伝送する。このとき、サーバー４０は、前記ＭＳＣ３０に受信されたメッセージがあるかどうかを確認し(ステップＳ４１)、該受信されたメッセージの保安コードが入力されたか否かを判断する(ステップＳ４２)。即ち、前記サーバー４０は、前記保安コードが入力されたとき、前記受信されたメッセージの受信者情報、発信者電話番号及び認証状態情報を検出し、それら検出された情報を、発信情報として前記ＭＳＣ３０に伝送する(ステップＳ４３)。ここで、前記サーバー４０は、前記使用者の電話番号、及び該電話番号に対応するように予め設定された保安コードが保存されたデータベースに基づいて、前記検出された発信者電話番号及び保安コードが一致するか否かを判断し、その判断結果によって認証状態情報を検出するが、該認証状態情報は、次の表１のように設定される。
【００３０】
【表１】
2005218078.tif 000003
表１に示したように、前記表示状態で、発信者が正当な保安コードを有しているとＯＫを示し、発信者が正当でない保安コードを有しているとＮＯを示すことで、前記発信メッセージの認証状態情報を表示する。
【００３１】
これに対し、前記サーバー４０は、前記保安コードが入力されていないとき、前記受信されたメッセージの受信者情報、発信者電話番号及び発信類型情報を検出し、それら検出された情報を、発信情報として前記ＭＳＣ３０に伝送する(ステップＳ４４)。ここで、前記発信類型情報は、メッセージを作成して送信する発信装置の種類を示すもので、公衆網(Public Network)を通して前記ＭＳＣに無線接続されるＭＳは、Ｍ(Mobile)として表示し、前記ＭＳＣに有線接続されるコンピュータは、Ｉ(Internet)として表示し、前記ＭＳＣに有線接続される有線電話機は、Ｔ(Telephone)として表示する。即ち、前記発信類型情報は、次の表２のように設定される。
【００３２】
【表２】
2005218078.tif 000004
そして、前記ＢＳ２０、５０は、前記ＭＳ１０、６０と無線接続して通信し得るサービス領域を形成し、前記ＭＳＣ３０の制御により運用され、該ＭＳＣ３０は、移動通信システムの全般的な運用を制御及び監視すると共に、呼接続要請信号を分析してスイッチング処理するので、前記メッセージの受信者情報に基づいて、該当伝送経路を設定する(ステップＳ４５)。該伝送経路には、音声信号を伝送する音声チャネル、データ信号を伝送するデータチャネル、及び運用情報などを伝送するチャネルなどがある。
【００３３】
その後、前記設定された伝送経路上の受信側のＢＳ５０は、前記ＭＳＣ３０から受信されたメッセージ及び前記発信情報を、自分のサービス領域内にある受信側のＭＳ６０に出力し(ステップＳ４６)、該受信側のＭＳ６０は、前記出力されたメッセージ及び発信情報をディスプレイ装置にディスプレイする(ステップＳ４７)。即ち、前記受信側のＭＳ６０は、前記保安コードが入力されたとき、前記出力されたメッセージ、並びに、前記発信情報として前記発信者電話番号及び認証状態情報をディスプレイし、前記保安コードが入力されていないとき、前記出力されたメッセージ、並びに、前記発信情報として前記発信者電話番号及び発信類型情報をディスプレイする。
【００３４】
以下、前記認証状態情報を有しないメッセージが受信されたとき、本発明に係る移動通信システムの受信メッセージ認証方法を図３に基づいて説明する。
【００３５】
図３は、本発明に係る移動通信システムの受信メッセージ認証方法を示したフローチャートで、図３に示したように、本発明に係る移動通信システムの受信メッセージ認証方法においては、受信側からメッセージの認証状態情報が要請されたか否かを確認する段階(ステップＳ５１)と、前記認証状態情報が要請されたとき、前記該当メッセージに対する保安コードを発信者に要請する段階(ステップＳ５２)と、前記要請した保安コードが入力されたか否かを判断する段階(ステップＳ５３)と、前記保安コードが入力されたとき、該入力された保安コードを予め設定された保安コードと比較し、その比較結果によって該当認証状態情報を検出する段階(ステップＳ５５)と、前記検出された認証状態情報を受信側に伝送する段階(ステップＳ５６)と、前記伝送された認証状態情報をディスプレイする段階(ステップＳ５７)と、を行う。ここで、前記保安コードが入力されたか否かを判断する段階(ステップＳ５３)で、前記保安コードが入力されていないと判断されると、該保安コードを要請した回数と予め設定された回数とを比較する段階(ステップＳ５４)を行う。
【００３６】
以下、このような本発明に係る移動通信システムの受信メッセージ認証方法をより詳しく説明する。
【００３７】
まず、前記受信側のＭＳ６０は、認証状態情報を有しないメッセージが受信されると、該受信されたメッセージ、並びに、前記発信情報として前記発信者電話番号及び発信類型情報をディスプレイする。このとき、前記受信側のＭＳ６０の使用者は、受信メッセージの認証状態情報を確認しようとするとき、該受信メッセージの認証状態情報を前記サーバー４０に要請し、該サーバー４０は、前記メッセージの認証状態情報が要請されたか否かを確認する(ステップＳ５１)。
【００３８】
その後、前記サーバー４０は、前記メッセージの認証状態情報が要請されたとき、該メッセージの保安コードを、予め設定された時間毎に前記発信者に要請する(ステップＳ５２)。
【００３９】
その後、前記サーバー４０は、前記要請した保安コードが入力されたか否かを確認し(ステップＳ５３)、該保安コードが入力されたとき、該入力された保安コードと前記データベースに保存された保安コードとを比較し、その比較結果によって該当認証状態情報を検出する。即ち、前記サーバー４０は、前記入力された保安コードが前記保存された保安コードと一致するとき、正当な保安コードを有している発信者であることを示す認証状態情報を検出し、前記入力された保安コードが前記保存された保安コードと一致しないとき、正当でない保安コードを有している発信者であることを示す認証状態情報を検出する。
【００４０】
これに対し、前記保安コードが入力されていないとき、前記サーバー４０は、前記保安コード要請回数が予め設定された要請回数を超過したか否かを確認する(ステップＳ５４)。即ち、前記サーバー４０は、前記保安コード要請回数が予め設定された要請回数を超過したとき、受信された保安コードがないことを示す認証状態情報を検出し(ステップＳ５５)、前記保安コード要請回数が予め設定された要請回数を超過しなかったとき、前記認証状態情報を要請したメッセージの保安コードを再び要請する(ステップＳ５２)。このとき、前記サーバー４０は、前記送信側のＭＳに、予め決定された時間間隔で、前記保安コードを３回以上要請することが好ましい。このように検出された認証状態情報は、次の表３のように設定される。
【００４１】
【表３】
2005218078.tif 000005
表３に示したように、前記表示状態で、発信者が正当な保安コードを有しているとＯＫを示し、発信者が正当でない保安コードを有しているとＮＯを示し、発信者から保安コードが受信されていないとＮＡを示すことで、前記受信メッセージの認証状態情報を表示する。
【００４２】
その後、前記サーバー４０は、前記検出された認証状態情報を前記受信側のＭＳ６０に伝送し(ステップＳ５６)、該受信側のＭＳ６０は、前記伝送された認証状態情報をディスプレイ装置を通してディスプレイする(ステップＳ５７)。
【００４３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４４】
【図１】本発明に係る移動通信システムのメッセージ認証装置を示した概略構成図である。
【図２】本発明に係る移動通信システムの発信メッセージ認証方法を示したフローチャートである。
【図３】本発明に係る移動通信システムの受信メッセージ認証方法を示したフローチャートである。
【図４】従来の移動通信システムのメッセージ認証方法を示したフローチャートである。
【図５】従来の受信側ＭＳのメッセージ認証方法を示したフローチャートである。
【符号の説明】
【００４５】
１０、６０  ＭＳ(Mobile Station)
２０、５０  ＢＳ(Base Station)
３０  ＭＳＣ(Mobile Switching Center)
４０  サーバー
【図１】
2005218078.tif 000006
【図２】
2005218078.tif 000007
【図３】
2005218078.tif 000008
【図４】
2005218078.tif 000009
【図５】
2005218078.tif 000010